(57)【要約】【課題】外部機器の機能サポート状況を確認できるナビゲーション装置を提供する。【解決手段】目的地を入力する入力手段３と、地図データを取得する地図情報取得手段１と、車両の位置を検出する位置方位検出手段２と、前記位置方位検出手段２で検出された位置から前記入力手段３によって入力された目的地までの経路を前記地図情報取得手段１で取得した地図データに基づいて計算する経路探索手段４と、外部機器との間の通信を行う通信手段７と、前記外部機器の機能サポート状況を表示する表示手段５とを備えている。【選択図】図１
2010249829.tif 000002
【特許請求の範囲】
【請求項１】
目的地を入力する入力手段と、
地図データを取得する地図情報取得手段と、
車両の位置を検出する位置方位検出手段と、
前記位置方位検出手段で検出された位置から前記入力手段によって入力された目的地までの経路を前記地図情報取得手段で取得した地図データに基づいて計算する経路探索手段と、
外部機器との間の通信を行う通信手段と、 
前記外部機器の機能サポート状況を表示する表示手段 
とを備えたことを特徴とするナビゲーション装置。
【請求項２】
外部機器の複数の機種の機能サポート状況を記憶するテーブルを有する通信処理変更手段を備え、 
表示手段は、前記テーブルの記憶内容に基づき、接続された外部機器の機種の機能サポート状況を表示することを特徴とする請求項１記載のナビゲーション装置。
【請求項３】
表示手段によって表示される情報または該情報に関連する情報を音声で出力する音声出力手段
を備えたことを特徴とする請求項２記載のナビゲーション装置。
【請求項４】
外部機器は、楽曲ファイル、画像ファイルまたは動画ファイルを記憶した携帯電話、メモリカード、携帯型ＡＶ機器または記憶媒体を含む
ことを特徴とする請求項１記載のナビゲーション装置。
【発明の詳細な説明】
【技術分野】
【０００１】
この発明は、例えば車両に搭載されてユーザを目的地まで案内するナビゲーション装置に関し、特にナビゲーション装置に外部機器を接続するための技術に関する。
【背景技術】
【０００２】
近年のナビゲーション装置は、携帯電話に代表されるモバイル機器を接続し、このモバイル機器を介してネットワークにアクセスするように構成されている。このようなモバイル機器は様々なメーカから発売されているが、モバイル機器のインタフェース仕様は、メーカ毎または機種毎に異なっている場合が多い。したがって、ナビゲーション装置は、モバイル機器のすべての機種のすべての機能をサポートすることは困難であり、一部の機能についてのみサポートしているという状況が発生している。
【０００３】
一方、ナビゲーション装置がモバイル機器と通信することにより実行できる機能のサポート状況は、モバイル機器の取扱い説明書を参照するか、自宅のパーソナルコンピュータからＷＥＢ等を参照するか、または、メーカへ電話等で直接に問い合わせなければ知ることができない。したがって、ユーザは、いずれの方法をとっても、移動中に、ナビゲーション装置から実行できる機能のサポート状況を確認することは困難であった。
【０００４】
なお、モバイル機器を複数種類の仕様に対応させる技術として、例えば、特許文献１は、各通信相手先に対して単一の通信相手先情報のみを登録しておいた場合でも通信相手先が同一国内にいてもいなくてもそれを意識させることなくメモリダイヤル機能を用いて自動ダイヤル発信を行うことができる携帯型通信機器を開示している。この携帯型通信機器では、内部メモリには、通信相手先、電話番号および通信相手先所在の国を表す国別フラグを対応付けして登録するためのアドレス帳テーブルが設けられている。発信処理部は、メモリダイヤル機能により選択された通信相手先の国別フラグとＲＦモジュールから取得した回線接続可能な国とを比較し、一致したときには国内電話と判断してアドレス帳テーブルに登録された電話番号のままダイヤル発信をする。一方、一致しないときには国際電話と判断してアドレス帳テーブルに登録された電話番号に国際番号、国番号を付加してダイヤル発信をする。
【先行技術文献】
【特許文献】
【０００５】
【特許文献１】特開２００１−０６１０００号公報
【発明の概要】
【発明が解決しようとする課題】
【０００６】
上述したように、ナビゲーション装置は、外部機器（モバイル機器）のすべての機種のすべての機能をサポートすることは困難であり、一部の機能についてのみサポートしているという状況が発生しているなかで、外部に接続される外部機器への対応を簡単に行わせることができる技術の開発が望まれている。
【０００７】
この発明は、上述した要請に応えるためになされたものであり、その課題は、外部機器の機能サポート状況を確認できるナビゲーション装置を提供することにある。
【課題を解決するための手段】
【０００８】
この発明に係るナビゲーション装置は、目的地を入力する入力手段と、地図データを取得する地図情報取得手段と、車両の位置を検出する位置方位検出手段と、前記位置方位検出手段で検出された位置から前記入力手段によって入力された目的地までの経路を前記地図情報取得手段で取得した地図データに基づいて計算する経路探索手段と、外部機器との間の通信を行う通信手段と、前記外部機器の機能サポート状況を表示する表示手段とを備えている。
【発明の効果】
【０００９】
この発明によれば、表示手段が外部機器の機能サポート状況を表示するように構成したので、外部機器の機能サポート状況を表示させることも可能になっており、この場合は、ユーザは外部機器の機能サポート状況を確認することができる。
【図面の簡単な説明】
【００１０】
【図１】この発明の実施の形態１に係るナビゲーション装置の機能的な構成を示すブロック図である。
【図２】図１に示した各機能を実現するためのナビゲーション装置のハードウェア構成を示すブロック図である。
【図３】この発明の実施の形態１に係るナビゲーション装置で使用されるテーブルの構造を示す図である。
【図４】この発明の実施の形態１に係るナビゲーション装置で使用されるシーケンスの例を示す図である。
【図５】この発明の実施の形態１に係るナビゲーション装置の通信処理変更手段で実行される通信変更処理を示すフローチャートである。
【図６】図５のステップＳＴ１７で行われる機種名自動判定処理の詳細を示すフローチャートである。
【図７】この発明の実施の形態１に係るナビゲーション装置において、ユーザ操作に応じて表示手段で行われる表示処理を示すフローチャートである。
【図８】この発明の実施の形態１に係るナビゲーション装置で表示されるトップメニュー画面を示す図である。
【図９】この発明の実施の形態１に係るナビゲーション装置で表示される接続機器一覧画面を示す図である。
【図１０】この発明の実施の形態１に係るナビゲーション装置で表示されるキャリア提供者一覧画面を示す図である。
【図１１】この発明の実施の形態１に係るナビゲーション装置で表示されるメーカ一覧画面を示す図である。
【図１２】この発明の実施の形態１に係るナビゲーション装置で表示される機種名一覧画面を示す図である。
【図１３】この発明の実施の形態１に係るナビゲーション装置で表示される機能サポート状況画面を示す図である。
【図１４】この発明の実施の形態１に係るナビゲーション装置で表示される機能サポート状況が表示形態を変更して示される画面を示す図である。
【図１５】この発明の実施の形態１に係るナビゲーション装置で外部機器として携帯電話以外の機器が選択された場合の一覧画面を示す図である。
【図１６】この発明の実施の形態１に係るナビゲーション装置で表示されるテロップの表示例を示す図である。
【発明を実施するための形態】
【００１１】
以下、この発明の実施の形態を、図面を参照しながら詳細に説明する。
実施の形態１．
図１は、この発明の実施の形態１に係るナビゲーション装置の機能的な構成を示すブロック図である。このナビゲーション装置は、地図情報取得手段１、位置方位検出手段２、入力手段３、経路探索手段４、表示手段５、音声出力手段６、通信手段７および通信処理変更手段８から構成されている。
【００１２】
地図情報取得手段１は、地図情報としての地図データを取得する。この地図情報取得手段で取得された地図データは、位置方位検出手段２、経路探索手段４および表示手段５に送られる。位置方位検出手段２は、地図情報取得手段１から送られてくる地図データに基づいて、ナビゲーション装置が搭載された車両の位置および方位を検出する。この位置方位検出手段２で検出された位置および方位を表す位置方位データは、経路探索手段４に送られる。
【００１３】
入力手段３は、例えば目的地、経由地といった経路探索用の情報の他に、後述する外部機器２０７の機種名を入力するために使用される。この入力手段３で入力された情報は、経路探索手段４、表示手段５、通信手段７および通信処理変更手段８に送られる。この入力手段３は、詳細は後述するが、テーブル９に記憶されている機能サポート状況に基づき、外部機器２０７の各機能に対応して設けられたボタンの押下の有効または無効を設定することができるように構成されている。
【００１４】
経路探索手段４は、位置方位検出手段２で検出された位置から、入力手段３によって入力された目的地までの最適経路を、地図情報取得手段１から送られてくる地図データに基づいて計算する。この経路探索手段４で計算された最適経路を表す経路データは、表示手段５に送られる。
【００１５】
表示手段５は、地図情報取得手段１から送られてくる地図データおよび経路探索手段４から送られてくる経路データに基づき、車両の現在位置周辺の地図および最適経路等を表示し、また、入力手段３からの入力に応答して各種メニューを表示する。また、表示手段５は、入力手段３から入力された機種名に対応する機能サポート状況または各種メッセージを表示する。この表示手段５で表示される内容については、後に詳細に説明する。音声出力手段６は、表示手段５によって表示される情報またはこの情報に関連する情報を音声で出力する。
【００１６】
通信手段７は、例えば携帯電話といった外部機器２０７との間で行われる通信を制御するための通信処理を実行する。通信処理変更手段８は、通信手段７で行われる通信処理を、外部機器２０７の各機種に対応する通信処理に変更する。通信処理変更手段８は、外部機器の複数の機種の機能サポート状況を記憶するテーブル９を備えている。このテーブル９の詳細および通信処理変更手段８で行われる処理の詳細は後述する。
【００１７】
次に、図１に示した各機能を実現するためのナビゲーション装置のハードウェア構成を、図２に示すブロック図を参照しながら説明する。
【００１８】
ナビゲーション装置は、メディア２０１、ドライブ２０２、ＧＰＳ（Global Positioning System）受信機２０３、ジャイロ２０４、車速信号取得部２０５、操作部２０６、外部機器（携帯電話）２０７、インタフェース回路２０８、ナビＥＣＵ（Electronic Control Unit；電子制御装置）２０９、メモリ２１０、ディスプレイ２１１およびスピーカ２１２から構成されている。
【００１９】
メディア２０１は、例えばＤＶＤ（Digital Versatile Disk）またはハードディスク（Hard disk）といった記憶媒体から構成されている。このメディア２０１に記憶されている地図データは、ドライブ２０２によって読み出される。ドライブ２０２は、メディア２０１に記憶されている地図データを読み出し、インタフェース回路２０８を介してナビＥＣＵ２０９に送る。上述した地図情報取得手段１は、主としてメディア２０１およびドライブ２０２から構成されている。
【００２０】
ＧＰＳ受信機２０３は、自己の絶対位置や絶対方位を検出する。このＧＰＳ受信機２０３で検出された絶対位置および絶対方位は、位置方位データとして、インタフェース回路２０８を介してナビＥＣＵ２０９に送られる。ジャイロ２０４は、車両の旋回時の角速度を検出する。このジャイロ２０４で検出された角速度は、角速度データとして、インタフェース回路２０８を介してナビＥＣＵ２０９に送られる。
【００２１】
車速信号取得部２０５は、図示しない車両から所定走行距離毎に送られてくる車速信号（車速パルス）を取得する。この車速信号取得部２０５で取得された車速信号は、速度データとして、インタフェース回路２０８を介してナビＥＣＵ２０９に送られる。上述した位置方位検出手段２は、主としてＧＰＳ受信機２０３、ジャイロ２０４および車速信号取得部２０５から構成されている。
【００２２】
操作部２０６は、ユーザ操作の入力を受付けるためのリモートコントローラ、ボタンまたはタッチパネルなどから構成されている。この操作部２０６から入力された情報は、操作データとして、インタフェース回路２０８を介してナビＥＣＵ２０９に送られる。上述した入力手段３は、主として操作部２０６から構成されている。
【００２３】
外部機器２０７は、図１に示す通信手段７に対応し、例えば携帯電話から構成されている。この外部機器２０７は、図示しない情報センタから交通情報を取得し、インタフェース回路２０８を介してナビＥＣＵ２０９に送る。
【００２４】
インタフェース回路２０８は、ナビＥＣＵ２０９からの制御信号にしたがって、ドライブ２０２から読み出した地図データ、ＧＰＳ受信機２０３から送られてきた位置方位データ、ジャイロ２０４から送られてくる角速度データ、車速信号取得部２０５から送られてくる角速度データおよび操作部２０６から送られてくる操作データをナビＥＣＵ２０９に送るための制御を行う。
【００２５】
ナビＥＣＵ２０９は、インタフェース回路２０８から送られてくる地図データ、位置方位データ、角速度データ、車速データおよび操作データをメモリ２１０に書き込むとともに、これらのデータをメモリ２１０から読み出し、この読み出したデータを用いて各種処理を実行する。上述した経路探索手段４、表示手段５の一部、通信手段７および通信処理変更手段８は、主としてナビＥＣＵ２０９およびメモリ２１０から構成されている。また、テーブル９は、メモリ２１０に格納される。
【００２６】
ディスプレイ２１１は、例えば液晶ディスプレイから構成されており、ナビＥＣＵ２０９から送られてくるデータにしたがって、地図、最適経路、自車マーク、案内メッセージ、メニュー画面などを表示する。ディスプレイ２１１は、表示手段５の他の一部を構成する。スピーカ２１２は、ナビＥＣＵ２０９から送られてくるデータにしたがって、ディスプレイ２１１に表示されるメッセージまたは該メッセージに関連するメッセージを音声で出力する。上述した音声出力手段６は、主としてスピーカ２１２から構成されている。
【００２７】
図３は、実施の形態１に係るナビゲーション装置で使用されるテーブル９の構造を示す図である。このテーブル９は、通信処理変更手段８の内部に形成されており、テーブル９には、機種依存リストが格納されている。
【００２８】
機種依存リストは、「機器」、「大分類」、「中分類」、「小分類」、「機能サポート」、「制限事項」および「シーケンス対応番号」という項目から構成されている。「機器」は外部機器の種類を示し、携帯電話、メモリカード、携帯型ＡＶ（Audio Visual）機器または記憶媒体（メディア）、およびこれらに記憶される楽曲ファイル、画像・動画ファイルなどが指定される。
【００２９】
以下、機器が例えば携帯電話の場合を例に挙げると、「大分類」には、キャリアの提供者Ａ１、Ａ２、・・・が記憶される。「中分類」には、携帯電話のメーカＢ１、Ｂ２、・・・が記憶される。「小分類」には、携帯電話の機種名Ｃ１、Ｃ２、・・・が記憶される。「機能サポート」には、機能サポートの状況が機種毎に記憶される。「制限事項」では、ユーザに注意を促す制限事項が機種毎に記憶される。なお、これら「機器」、「大分類」、「中分類」、「小分類」、「機能サポート」および「制限事項」は、表示手段５により表示させることができる。
【００３０】
また、「シーケンス対応番号」には、各機種で使用される通信手順（シーケンス）を実現するためのプログラムに付された番号、つまりシーケンス対応番号が記憶される。プログラムは、通信処理変更手段８に格納されている。これにより、機種が特定された場合は、その機種に対応付けられたシーケンス対応番号から該当するプログラムによる処理に変更することができる。
【００３１】
図４（ａ）〜図４（ｄ）は、通信処理変更手段８に格納されているプログラムによって実現されるシーケンスの例を示す図である。シーケンス対応番号１〜４に対応するシーケンスは、いずれも詳細な点で相違しており、この相違は機種またはメーカ等に依存して生じる。例えば、図３に示すテーブル９のシーケンス対応番号と照らし合わせて機能サポート状況を確認すると、シーケンス対応番号４の小分類「Ｃ２」のみが、３者通話ができないことを示している。
【００３２】
具体的には、図４（ｄ）に示すシーケンス対応番号４において、携帯電話から「データ送信コマンド：ｙｙｙ」が通知されたことに応答して、ナビゲーション装置はデータ通信モードに移行するが、このデータ通信モードにおいては携帯電話から続いて送信される「３者通話コマンド：＠＠＠」を処理することができず、ナビゲーション装置は「失敗コマンド：ｅｅｅ」を携帯電話に通知する。その結果、ユーザから見れば３者通話の機能を実行できないことになり、ユーザは、図３に示す機能サポートの状況「△」と、制限事項の「３者通話ができません」という失敗コマンドを受け取った原因を認識することができる。なお、このような制限事項には、例えば、あるモードから他のモードへ遷移することができないといったメニュー操作等による制約、未対応の機能などが含まれるが、制限事項の内容や理由は任意に決定することができる。
【００３３】
次に、上記のように構成される、この発明の実施の形態１に係るナビゲーション装置の動作を、通信処理変更手段８で実行される通信変更処理を中心に、図５に示すフローチャートを参照しながら説明する。
【００３４】
通信変更処理では、まず、外部機器２０７が接続されているかどうかの検知が行われる（ステップＳＴ１１）。このステップＳＴ１１において、外部機器２０７の接続が検知されなければ、図５では図示を省略しているが、ステップＳＴ１２以下の処理は実行されず、通信変更処理は終了する。一方、ステップＳＴ１１において、外部機器２０７の接続が検知されると、次いで、外部機器２０７の機種名が入力されているかどうかが調べられる（ステップＳＴ１２）。機種名の入力は、ユーザが入力手段３を操作して直接に入力することもできるし、後述するメニュー画面（図８〜図１２）から入力することもできる。
【００３５】
このステップＳＴ１２において、外部機器２０７の機種名が入力されていないことが判断されると、ステップＳＴ１７の処理に進む。一方、ステップＳＴ１２において、外部機器２０７の機種名が入力されていることが判断されると、次いで、入力されている機種名がテーブル９に存在するかどうかが調べられる（ステップＳＴ１３）。
【００３６】
このステップＳＴ１３において、入力されている機種名がテーブル９に存在しないことが判断されると、ステップＳＴ１７の処理に進む。一方、ステップＳＴ１３において、入力されている機種名がテーブル９に存在することが判断されると、テーブル９のシーケンス対応番号は有効であるかどうかが調べられる（ステップＳＴ１４）。具体的には、入力されている機種名に対応するシーケンス対応番号がテーブル９の「シーケンス対応番号」の欄に記憶されているかどうかが調べられる。
【００３７】
このステップＳＴ１４において、シーケンス対応番号は有効でない、つまり無効であることが判断されると、ステップＳＴ１７の処理に進む。一方、ステップＳＴ１４において、シーケンス対応番号は有効であることが判断されると、通信手段７における通信処理は、そのシーケンス対応番号に対応するプログラムによる処理に切り換えられる（ステップＳＴ１５）。
【００３８】
次いで、シーケンス対応番号のシーケンス通りであるかどうかが調べられる（ステップＳＴ１６）。すなわち、外部機器２０７との間の通信を、シーケンス対応番号によって示されるシーケンス（図４に示すシーケンス）の通りに実行できるかどうかが調べられる。このステップＳＴ１６において、シーケンス対応番号のシーケンス通りでないことが判断されると、ステップＳＴ１７の処理に進む。一方、ステップＳＴ１６において、シーケンス対応番号のシーケンス通りであることが判断されると、通信変更処理は終了する。
【００３９】
ステップＳＴ１７においては、外部機器２０７の機種名を自動的に判定する機種名自動判定処理が行われる。また、このステップＳＴ１７においては、入力された機種名がテーブル９に存在しない場合、または、入力された機種名のシーケンスと接続されている外部機器２０７のシーケンスとが一致しない場合は、その旨が、通信手段７を経由して表示手段５に通知される。これにより、例えば図１６（ａ）に示すように、表示手段５によって、『接続機器の機種の特定を行います』という文言から成るテロップが表示される。このステップＳＴ１７において行われる処理の詳細は後述する。
【００４０】
なお、上述した通信変更処理においては、通信処理変更手段８は、実行できるシーケンスと、実行できないシーケンスとを選別し、この選別結果を、通信手段７を経由して表示手段５に通知し、表示手段５は、受け取った選別結果に基づき、画面に表示するボタンの有効または無効を設定するように構成することができる。
【００４１】
次に、上述した通信変更処理のステップＳＴ１７で行われる機種名自動判定処理の詳細を、図６に示すフローチャートを参照しながら説明する。
【００４２】
機種名自動判定処理では、まず、現時点までに実行したシーケンスが一致する機種の機種名が設定される（ステップＳＴ２１）。なお、デフォルトでは、全てのシーケンスに対応する機種名が設定されているものとする。次いで、外部機器２０７との間で実行される１つのシーケンスが発生される（ステップＳＴ２２）。次いで、ステップＳＴ２２で発生されたシーケンスと一致するシーケンスを有する機種であるかどうかが調べられる（ステップＳＴ２３）。
【００４３】
このステップＳＴ２３において、発生されたシーケンスと一致するシーケンスを有する機種であることが判断されると、次いで、シーケンスが一致した機種の機種名が設定される（ステップＳＴ２４）。一方、ステップＳＴ２３において、発生されたシーケンスと一致するシーケンスを有する機種でないことが判断されると、ステップＳＴ２４の処理はスキップされる。次いで、シーケンスを有するすべての機種に対する処理が終了したかどうかが調べられる（ステップＳＴ２５）。このステップＳＴ２５において、シーケンスを有するすべての機種に対する処理が終了していないことが判断されると、ステップＳＴ２３の処理に戻り、次の機種に対する処理が行われる。
【００４４】
一方、ステップＳＴ２５において、シーケンスを有するすべての機種に対する処理が終了したことが判断されると、次いで、シーケンスが一致した機種が１つ存在するかどうかが調べられる（ステップＳＴ２６）。このステップＳＴ２６において、シーケンスが一致した機種が存在することが判断されると、その機種が接続された機種であると推測され、その機種に対応したプログラムに切り換えられる（ステップＳＴ２７）。なお、シーケンスが一致した機種が複数ある場合は、任意の１機種に対応したプログラムに切り換えられる。
【００４５】
また、このステップＳＴ２６においては、切り換えられたプログラムに対応する機種の機種名が、通信手段７を経由して表示手段５に通知される。これにより、例えば図１６（ｂ）に示すように、表示手段５によって、『機種をＴ３１Ｗと推測して動作します』という文言から成るテロップが表示される。なお、ステップＳＴ２７において、１つの機種しか推測できなかった場合は、図１６（ｄ）に示すように、『機種をＴ３１Ｗとして動作します』というテロップを流し、機種を特定したかの如くの表示することもできる。この場合、表示手段５は、テーブル９を参照して機能サポート状況を確認し、図１６（ｄ）に示すように、例えば『この機種ではデータ通信ができません』という文言を追加したテロップを流すこともできる。さらに、動作させることができない機能に対しては、その機能に対応するボタンを無効化するように構成することもできる。
【００４６】
上記ステップＳＴ２６において、シーケンスが一致した機種が存在しないことが判断されると、その機種に対して機能サポートできないと判断され、その旨が出力される（ステップＳＴ２８）。すなわち、その機種に対して機能サポートできない旨が、通信手段７を経由して表示手段５に通知される。これにより、例えば図１６（ｃ）に示すように、表示手段５によって、『接続機器の機能を動作させることはできません』という文言から成るテロップが表示される。
【００４７】
なお、ステップＳＴ２８が実行された後に、入力手段３から最新のテーブル９を入手するよう指示があれば、外部機器２０７がデータ通信を行うことができる場合は、この外部機器２０７を介してサーバまたはホスト等にアクセスすることによりテーブル９の最新バージョンを確認し、保持しているテーブル９のバージョンが更新されていれば、最新バージョンのテーブル９をサーバまたはホスト等から取得して、保持しているテーブル９を最新に書き替えるように構成することができる。
【００４８】
この場合、表示手段５は、例えば図１６（ｅ）に示すように、『最新情報の入手を試みます』という文言を追加的に流すように構成することができる。このとき、無条件に通信手段７に対し、後述する図７のステップＳＴ３７に示すように、最新のテーブル９入手の要求を通知するように構成することもできるし、例えば『最新情報の入手』といったボタンを押下するユーザ操作を経てから最新のテーブル９入手の要求を通知するように構成することもできる。
【００４９】
次に、ユーザ操作に応じて表示手段５で行われる表示処理を、図７に示すフローチャートを参照しながら説明する。
【００５０】
初期状態においては、図８に示すようなトップメニュー画面が表示される。このトップメニュー画面および以降で順次に表示される画面において、リスト表示を指示するキー操作が行われる（ステップＳＴ３１）。次いで、ステップＳＴ３１で行われたキー操作に応じて、階層構造を有するテーブル９から該当項目が読み出され、ツリー構造のリスト形式で表示される（ステップＳＴ３２）。このように、表示すべき項目をツリー構造のリスト形式で表示することにより、表示画面のスペースを有効に利用できるようになっている。次いで、リスト表示を指示するキー操作が終了したかどうかが調べられる（ステップＳＴ３３）。このステップＳＴ３３において、リスト表示を指示するキー操作が終了していないことが判断されると、ステップＳＴ３１の処理に戻り、上述した処理が繰り返される。
【００５１】
上記ステップＳＴ３１〜ＳＴ３３の繰り返しにより、以下のようなリスト表示が行われる。すなわち、図８に示すようなメニュー画面において、「接続機器一覧」を選択するキー操作が行われると、図９に示すような、接続機器一覧画面が表示される。この接続機器一覧画面は、テーブル９の「機器」の項目に記憶されているデータに基づいて作成される。この接続機器一覧画面では、ユーザは、外部機器２０７として、携帯電話、メモリカード、楽曲ファイル、画像・動画ファイルまたはメディアの中から１つのボタンをキー操作により選択することができる。以下では、外部機器２０７として「携帯電話」が選択される場合を例に挙げて説明する。
【００５２】
図９に示す接続機器一覧画面において、「携帯電話」を選択するキー操作が行われると、図１０に示すような、携帯電話のキャリア提供者を表すキャリア提供者一覧画面が表示される。このキャリア提供者一覧画面は、テーブル９の「大分類」の項目に記憶されているデータに基づいて作成される。このキャリア提供者一覧画面では、ユーザは、携帯電話のキャリア提供者として、Ａ１、Ａ２およびＡ３の中から１つのボタンをキー操作により選択することができる。
【００５３】
図１０に示すキャリア提供者一覧画面において、１つのキャリア提供者、例えばＡ１を選択するキー操作が行われると、図１１に示すような、選択されたキャリア提供者が提供するキャリアに対応した携帯電話のメーカを表すメーカ一覧画面が表示される。このメーカ一覧画面は、テーブル９の「中分類」の項目に記憶されているデータに基づいて作成される。このメーカ一覧画面では、ユーザは、携帯電話のメーカとして、Ｂ１〜Ｂ５の中から１つのボタンをキー操作により選択することができる。
【００５４】
図１１に示すメーカ一覧画面において、１つのメーカ、例えばＢ１を選択するキー操作が行われると、図１２に示すような、選択されたメーカが提供する携帯電話の機種名を表す機種名一覧画面が表示される。この機種名一覧画面は、テーブル９の「小分類」の項目に記憶されているデータに基づいて作成される。この機種名一覧画面では、ユーザは、携帯電話の機種名として、Ｃ１〜Ｃ５の中から１つのボタンをキー操作により選択することができる。
【００５５】
次いで、キー操作は機種名入力であるかどうかが調べられる（ステップＳＴ３４）。すなわち、図１２に示すような機種名一覧画面において、携帯電話の機種名Ｃ１〜Ｃ５の中から１つのボタンを選択するキー操作が行われたかどうかが調べられる。
【００５６】
このステップＳＴ３４において、キー操作は機種名入力であることが判断されると、入力された機種の機能サポート状況が表示される（ステップＳＴ３５）。機能サポート状況は、図１４に示すように、ボタンの表示形態を変更してユーザに入力完了であることを知らせるとともに、サポートされていない機能のボタンが無効化するように構成できる。この図１４に示す画面は、テーブル９の「制限事項」の項目に記憶されているデータに基づいて作成される。なお、図１４に示す画面の例では、「ハンズフリー」、「データ通信」および「電話帳転送」の機能がサポートされており、「割り込み着信」および「キャッチホン」の機能がサポートされておらず、無効化されていることを示している。また、ステップＳＴ３５においては、入力された機種名は、通信手段７を経由して通信処理変更手段８に通知される。通信処理変更手段８は、通信手段７を経由して機種名の通知を受けると、図５のフローチャートに示す通信変更処理を実行する。
【００５７】
なお、図１２に示す機種名一覧画面において、１つの機種が選択された場合に、図１３に示すような機能サポート状況画面を表示するように構成することもできる。図１３に示す例は、機種名一覧画面においてＣ１が選択された場合に表示される画面であり、「ハンズフリー」、「データ通信」および「電話帳転送」の機能がサポートされており、「割り込み着信」および「キャッチホン」の機能がサポートされていないことを示している。また、図１３に示す機能サポート状況画面は、例えばサポートされていない機能が使用されようとした時に、例えばキャッチホンの信号が受信された時に表示するように構成することもできる。
【００５８】
上記ステップＳＴ３４において、キー操作は機種名入力でないことが判断されると、次いで、キー操作は最新テーブル入手であるかどうかが調べられる（ステップＳＴ３６）。このステップＳＴ３６において、キー操作は最新テーブル入手であることが判断されると、該当ボタンの表示形態を変更してユーザに入力完了であることを知らしめるとともに、通信手段７に最新テーブル入手の要求を通知する（ステップＳＴ３７）。通信手段７は、最新テーブル入手の要求の通知を受けると、サーバやホスト等から最新のテーブル９を入手して更新する。上記ステップＳＴ３６において、キー操作は最新テーブル入手でないことが判断されると、他の処理、つまり、キー操作に応じた処理が実行される（ステップＳＴ３８）。その後、表示処理は終了する。
【００５９】
なお、表示手段５において行われるリスト表示またはテロップ表示の文言を別途テーブル等に保持しておき、表示手段５によってその文言が表示される際に、音声出力手段６により、保持されている文言をそのまま音声で出力する、または、保持されている文言に関連する最適化された文言を音声で出力するように構成することができる。
【００６０】
また、上述した実施の形態１に係るナビゲーション装置では、外部に接続される外部機器２０７として携帯電話が使用される場合について説明したが、携帯電話の他に、メモリカード、携帯型ＡＶ機器またはメディア（記憶媒体）、およびこれらに記憶される楽曲ファイル、画像ファイル、動画ファイルなどを使用するように構成することができる。
【００６１】
この場合、図９に示す接続機器一覧画面において、「メモリカード」を選択するキー操作が行われると、図１５（ａ）に示すような、メモリカードの種類を表すメモリ一覧画面が表示され、「楽曲ファイル」を選択するキー操作が行われると、図１５（ｂ）に示すような、音楽データの圧縮の種類を表す圧縮形式一覧画面が表示され、「画像・動画ファイル」を選択するキー操作が行われると、図１５（ｃ）に示すような、画像または動画ファイルの圧縮の種類を表す圧縮形式一覧画面が表示され、「メディア」を選択するキー操作が行われると、図１５（ｄ）に示すような、メディアの種類を表すメディア一覧画面が表示される。これら図１５（ａ）〜図１５（ｄ）に示す画面では、各項目について、機能サポートの状況が「○」、「△」および「×」で表示されるので、ユーザは、外部機器の機能のサポート状況を容易に知ることができる。
【００６２】
以上説明したように、この発明の実施の形態１に係るナビゲーション装置によれば、外部機器の各機種の機能のサポート状況を表示することができるので、ユーザは、使用する外部機器２０７の機能サポート状況を確認することができる。また、機種を特定して最も適した通信処理への変更を試み、その変更が不可能である場合は、ユーザに当該機種が使えない旨を知らしめることができる。
【符号の説明】
【００６３】
１  地図情報取得手段、２  位置方位検出手段、３  入力手段、４  経路探索手段、５  表示手段、６  音声出力手段、７  通信手段、８  通信処理変更手段、９  テーブル、２０１  メディア、２０２  ドライブ、２０３  ＧＰＳ受信機、２０４  ジャイロ、２０５  車速信号取得部、２０６  操作部、２０７  外部機器、２０８  インタフェース回路、２０９  ナビＥＣＵ、２１０  メモリ、２１１  ディスプレイ、２１２  スピーカ。
【図１】
2010249829.tif 000003
【図２】
2010249829.tif 000004
【図３】
2010249829.tif 000005
【図４】
2010249829.tif 000006
【図５】
2010249829.tif 000007
【図６】
2010249829.tif 000008
【図７】
2010249829.tif 000009
【図８】
2010249829.tif 000010
【図９】
2010249829.tif 000011
【図１０】
2010249829.tif 000012
【図１１】
2010249829.tif 000013
【図１２】
2010249829.tif 000014
【図１３】
2010249829.tif 000015
【図１４】
2010249829.tif 000016
【図１５】
2010249829.tif 000017
【図１６】
2010249829.tif 000018